(57)【要約】【課題】大きさの異なるアレルゲン含有物質のそれぞれを、簡便に検出する。【解決手段】蛍光検出器（１）は、吸引したアレルゲン含有物質を、該アレルゲン含有物質の大きさに応じた異なる分岐経路部（５）に分岐させる分岐部（４）を備えるとともに、上記分岐経路部（５）内に励起光を照射して該分岐経路部（５）内の上記アレルゲン含有物質が発する蛍光を検出する検知部（６）が、上記分岐経路部（５）の少なくとも２つに設けられている。【選択図】図１
2017067696.tif 000002
【特許請求の範囲】
【請求項１】
アレルギーの原因物質であるアレルゲンを含む、吸引した空気中のアレルゲン含有物質が発する蛍光を検出する蛍光検出装置であって、
吸引した空気の流路中の上記アレルゲン含有物質を、該アレルゲン含有物質の大きさに応じた異なる分岐経路部に分岐させる分岐部を備えているとともに、
上記分岐経路部内に励起光を照射して該分岐経路部内の上記アレルゲン含有物質が発する蛍光を検出する検出部が、上記分岐経路部の少なくとも２つに設けられていることを特徴とする蛍光検出装置。
【請求項２】
上記検出部が設けられた上記分岐経路部に応じた方式で、上記アレルゲン含有物質の種類、および上記アレルゲン含有物質の量を示す指標値の少なくとも一方を特定する第１の特定部をさらに備えることを特徴とする請求項１に記載の蛍光検出装置。
【請求項３】
上記検出部は、それぞれ異なる波長帯域の上記励起光を出射する複数の照射部を備える請求項１または２に記載の蛍光検出装置。
【請求項４】
上記分岐経路部の少なくとも１つには、検出対象のアレルゲン含有物質がそれぞれ異なる複数の上記検出部が設けられていることを特徴とする請求項１または２のいずれか１項に記載の蛍光検出装置。
【請求項５】
上記検出部が設けられた上記分岐経路部に設けられ、上記分岐経路部に送られた上記アレルゲン含有物質を上記励起光の照射直前、または照射時に加熱する加熱部をさらに備えることを特徴とする請求項１から４のいずれか１項に記載の蛍光検出装置。
【請求項６】
上記検出部は、上記励起光を上記アレルゲン含有物質に照射する照射部と、上記アレルゲン含有物質が発する蛍光を受光する受光部とを備え、
上記照射部は、上記受光部が受光可能な波長帯域の光を遮光する第１の遮光部材を備えることを特徴とする請求項１から５のいずれか１項に記載の蛍光検出装置。
【請求項７】
上記検出部は、上記励起光を上記アレルゲン含有物質に照射する照射部と、上記アレルゲン含有物質が発する蛍光を受光する受光部とを備え、
上記受光部は、上記励起光の波長帯域の光を遮光する第２の遮光部材を備えることを特徴とする請求項１から６のいずれか１項に記載の蛍光検出装置。
【請求項８】
上記検出部は、上記アレルゲン含有物質が発する蛍光を受光する複数の受光部と、当該蛍光のうち、それぞれ異なる波長帯域の光を、当該複数の受光部のそれぞれに出射する複数の光学素子と、を備えていることを特徴とする請求項１から７のいずれか１項に記載の蛍光検出装置。
【請求項９】
上記検出部は、上記アレルゲン含有物質が発する蛍光を受光する受光部と、当該蛍光のうち、それぞれ異なる波長帯域の光を、受光部のそれぞれ異なる領域に出射する光学素子と、を備えていることを特徴とする請求項１から７のいずれか１項に記載の蛍光検出装置。
【請求項１０】
各波長帯域の光の強度から、当該強度と異なる算出値を算出し、当該算出値を、予め算出されている複数の上記アレルゲン含有物質の上記算出値と比較することによって、上記アレルゲン含有物質の種類を特定する第２の特定部をさらに備えることを特徴とする請求項８または９に記載の蛍光検出装置。
【発明の詳細な説明】
【技術分野】
【０００１】
本発明は、アレルゲン含有物質が発する蛍光を検出する蛍光検出装置に関する。
【背景技術】
【０００２】
近年、花粉やダニなどを原因とするアレルギーが問題となっている。例えば、アレルギーの１つである花粉症は、花粉粒子に含まれるタンパク質であるアレルゲンによって引き起こされる。日本国内には花粉症を発症している患者が多いため、特に花粉が飛散する時期に、日々飛散している花粉量が計測され、公開されている。
【０００３】
従来の花粉の飛散量の計測方法としては、ダーラム型花粉捕集器を用いた方法がある。しかしながら、ダーラム型花粉捕集器を用いた方法では、測定に時間がかかり、また、目視で行うため誤差が大きくなる。測定時間を短縮するための方法としては、空気を吸引することで取り込んだ花粉に励起光を照射し、検出した蛍光に基づいて花粉量を算出する方法がある。また、花粉の飛散量だけでなく、下記の特許文献１のように、検出した蛍光に基づいて飛散する花粉の種類を特定する方法もある。他にも、空気を吸引して、吸引した空気に含まれる物質の粒径、形状、偏光度などに基づいて当該物質が花粉であるか否かを識別し、空気中の花粉量を算出する方法がある。下記の特許文献２では、吸引した物質にレーザー光を照射し、物質の粒径、偏光度に基づいて当該物質が花粉であるか否か識別している。これらの方法は、花粉粒子（すなわち、花粉そのもの）に関する情報（量、種類など）を特定する手段として用いられている。
【０００４】
一方で、花粉粒子に含まれるアレルゲンが、空気中でより小さい粒径となっているため、小さい粒径となったアレルゲンを原因とする花粉喘息の発症が近年報告されている。例えばスギ花粉の場合、数μｍ、または１．１μｍ以下の粒径範囲のアレルゲン（以下、微小アレルゲン）が空気中に高い割合で存在し、都市部では山間部よりも多くの微小アレルゲンが存在することが報告されている。
【０００５】
また、花粉症以外のアレルギーの一例として、ダニアレルギーが挙げられる。ダニアレルギーの原因となるアレルゲン（ダニアレルゲン）は、ダニそのものやダニの糞がある。ダニは１００μｍから２００μｍ程度の大きさであり、ダニの糞は４０μｍから１００μｍ程度の大きさであり、上述した花粉粒子に含まれるアレルゲンに比べて粒径が大きい。しかしながら、ダニの死骸やダニの糞は乾燥することで細かく粉末状に分解され、数μｍ以下まで粒径が小さくなる（すなわち、微小アレルゲンとなる）ことが知られている。
【０００６】
アレルゲンおよび微小アレルゲンの量を示す指標値（濃度など）を特定する方法としては、ＥＬＩＳＡ法を用いたもの、表面プラズモン共鳴（以下、ＳＰＲ）法を用いたものが利用されている。しかしながら、これらの方法は測定に時間、コストがかかるという問題がある。
【先行技術文献】
【特許文献】
【０００７】
【特許文献１】特開２００１−２４２０６５号公報（２００１年９月７日公開）
【特許文献２】特開２００８−２１６１３３号公報（２００８年９月１８日公開）
【発明の概要】
【発明が解決しようとする課題】
【０００８】
以上より、近年では、花粉粒子だけでなく、花粉に含まれるアレルゲンや微小アレルゲンに関する情報も簡便に特定することが求められている。しかしながら、特許文献１および２に記載の技術では、アレルゲンや微小アレルゲンを検出対象としていない。
【０００９】
本発明は、前記の問題点に鑑みてなされたものであり、その目的は、大きさの異なるアレルゲン含有物質のそれぞれを、簡便に検出可能な蛍光検出装置を実現することにある。
【課題を解決するための手段】
【００１０】
上記の課題を解決するために、本発明の一態様に係る蛍光検出装置は、アレルギーの原因物質であるアレルゲンを含む、吸引した空気中のアレルゲン含有物質が発する蛍光を検出する蛍光検出装置であって、吸引した空気の流路中の上記アレルゲン含有物質を、該アレルゲン含有物質の大きさに応じた異なる分岐経路部に分岐させる分岐部を備えているとともに、上記分岐経路部内に励起光を照射して該分岐経路部内の上記アレルゲン含有物質が発する蛍光を検出する検出部が、上記分岐経路部の少なくとも２つに設けられている。
【発明の効果】
【００１１】
本発明の一態様によれば、大きさの異なるアレルゲン含有物質のそれぞれを、簡便に検出することができるという効果を奏する。
【図面の簡単な説明】
【００１２】
【図１】本発明の実施形態１に係る蛍光検出器の要部構成の一例を示す図である。
【図２】球形を保ったスギ花粉を示す図である。
【図３】破裂したスギ花粉を示す図である。
【図４】３６０ｎｍの波長の励起光を照射したときのスギ花粉の蛍光特性を示す図である。
【図５】図１に示す検知部の詳細を示す図である。
【図６】花粉の蛍光強度の測定に使用する反射型蛍光測定装置の概略図である。
【図７】スギ花粉の個数と蛍光強度との関係を示すグラフである。
【図８】スギ花粉由来のアレルゲンを含むタンパク質の濃度と蛍光強度との関係を示すグラフである。
【図９】本発明の実施形態２に係る蛍光検出器の要部構成の一例を示す図である。
【図１０】４４０ｎｍの波長の励起光を照射したときの、オオブタクサ花粉由来のアレルゲンを含むタンパク質の蛍光特性を示す図である。
【図１１】オオブタクサ花粉由来のアレルゲンを含むタンパク質の濃度と蛍光強度との関係を示すグラフである。
【図１２】本発明の実施形態２の変形例に係る蛍光検出器の要部構成の一例を示す図である。
【図１３】３６０ｎｍの波長の励起光を照射したときの、ヤケヒョウダニ由来のアレルゲンを含むタンパク質の蛍光特性を示す図である。
【図１４】スギ花粉由来のアレルゲンを含むタンパク質およびヒノキ花粉由来のアレルゲンを含むタンパク質の蛍光特性を示す図であり、（ａ）は、３６０ｎｍの励起光を照射したときの蛍光特性を示す図であり、（ｂ）は、４４０ｎｍの励起光を照射したときの蛍光特性を示す図である。
【図１５】本発明の実施形態３に係る蛍光検出器の要部構成の一例を示す図である。
【図１６】本発明の実施形態４に係る蛍光検出器の要部構成の一例を示す図である。
【図１７】加熱前および加熱後におけるスギ花粉由来のアレルゲンを含むタンパク質の濃度と蛍光強度との関係を示すグラフである。
【図１８】本発明の実施形態５に係る蛍光検出器の要部構成の一例を示す図である。
【図１９】図１８に示す検知部の詳細を示す図である。
【図２０】図１８に示す蛍光検出器の受光部に設けられたフィルタの光透過特性を示す図である。
【発明を実施するための形態】
【００１３】
〔実施形態１〕
本発明の一実施形態について、図１〜図８に基づいて説明すれば、以下のとおりである。
【００１４】
（蛍光検出器１）
まず、本実施形態に係る蛍光検出器１（蛍光検出装置）の要部構成について、図１を参照して説明する。図１は蛍光検出器１の要部構成の一例を示す図である。
【００１５】
蛍光検出器１は、アレルギーの原因物質（アレルゲン）を含む物質（以下、アレルゲン含有物質）が発する蛍光を検出する装置である。具体的には、本実施形態に係る蛍光検出器１は、空気中に含まれる、球形を保った花粉（すなわち、アレルゲン含有物質、以下、単に「花粉」と称する）と、アレルゲンを含む、花粉由来の複数種類のタンパク質（すなわち、アレルゲン含有物質、以下、アレルゲン含有タンパク質）とを吸引する。花粉およびアレルゲン含有タンパク質は励起光の照射によって所定波長の蛍光を発するので、蛍光検出器１は、当該蛍光を検出することにより、花粉の量を示す指標値、および、花粉由来のアレルゲン含有タンパク質の量を示す指標値を特定する。なお、本実施形態ではスギ花粉を例に挙げて説明するが、蛍光検出器１の検出対象である花粉はスギ花粉に限定されず、また、アレルゲン含有タンパク質もスギ花粉由来のアレルゲン含有タンパク質に限定されない。また、アレルギーの原因物質は花粉および花粉由来のアレルゲン含有タンパク質に限定されない。例えば、ダニ、およびダニアレルゲンを含有するタンパク質であってもよい。また、本実施形態では、花粉の量を示す指標値として花粉の個数を特定し、アレルゲン含有タンパク質の量を示す指標値として、所定の溶液中のアレルゲン含有タンパク質の濃度を特定するが、指標値はこの例に限定されない。
【００１６】
蛍光検出器１は、図１に示すように、吸引部２、経路部３、分岐部４ａ、４ｂ、分岐経路部５ａ、５ｂ、５ｃ、検知部６ａ、６ｂ、演算部７（第１の特定部）、および記憶部８を備えている。なお以降、分岐部４ａ、４ｂ、分岐経路部５ａ、５ｂ、５ｃ、および検知部６ａ、６ｂを区別する必要が無い場合、それぞれ「分岐部４」、「分岐経路部５」、および「検知部６（検出部）」と記載する。
【００１７】
ここで、図２および図３を参照して、花粉と、花粉由来のアレルゲン含有タンパク質とについて説明する。図２は球形を保ったスギ花粉を示す図である。また、図３は破裂したスギ花粉を示す図である。
【００１８】
スギ花粉などの花粉は、図２に示すように植物から放出された直後は球形である。しかしながら、花粉は雨によって濡れたり、ＰＭ２．５、黄砂などの環境物質にふれたりすることで、図３に示すように破裂することが知られている。なお、図３に示す花粉は重曹水に浸して破裂させている。このように花粉が破裂すると、花粉の内部に存在する、アレルゲン含有タンパク質が放出される。このアレルゲン含有タンパク質は、空気中で粉砕され、より小さな粒径となることによって花粉喘息などの原因となるため、空気中の花粉だけでなくアレルゲン含有タンパク質の量を検出することが必要となる。
【００１９】
（吸引部２および経路部３）
吸引部２は、蛍光検出器１の周囲の空気を吸引することによって、空気中に含まれる複数の物質を蛍光検出器１内に吸引する。所定の吸引速度で吸引する、または、所定の吸引量だけ空気を吸引する事が出来れば、吸引部２の構成は特に限定されない。経路部３は、吸引部２によって吸引された複数の物質が通る経路であり、例えば配管である。また、経路部３は複数の分岐経路部５に分岐する。
【００２０】
（分岐部４）
分岐部４は、吸引部２によって吸引された空気の流路中の複数の物質を、当該物質の大きさに応じた異なる分岐経路部５に分岐させる。分岐部４の具体例としては、バーチャルインパクタが挙げられる。バーチャルインパクタとは、物質が気体の流れの中で加速または減速するとき、あるいは流れの方向を変えたときに、物質の慣性によって気体の流線から逸脱するという原理に基づいて、物質を大きさに応じて異なる経路に送るものである。なお、複数の物質を、当該物質の大きさに応じた異なる分岐経路部５に分岐させることができるものであれば、分岐部４はバーチャルインパクタに限定されない。
【００２１】
図１に示すように、蛍光検出器１には２つの分岐部４（分岐部４ａおよび分岐部４ｂ）が備えられている。分岐部４ａは、粒径がアレルゲン含有タンパク質程度（例えば、１０μｍ未満）の物質を分岐経路部５ａに送る。また、分岐部４ｂは、粒径が花粉程度（例えば３０μｍ未満）の物質を分岐経路部５ｂに送り、粒径が花粉より大きい（例えば３０μｍ以上の）物質を分岐経路部５ｃに送る。なお、括弧書きした粒径は一例であり、上記の例に限定されない。
【００２２】
（分岐経路部５）
分岐経路部５は、経路部３から分岐した経路である。蛍光検出器１には３つの分岐経路部５（分岐経路部５ａ、５ｂ、５ｃ）が備えられており、分岐経路部５ａは、粒径がアレルゲン含有タンパク質程度の物質が通過する。また、分岐経路部５ｂは、粒径が花粉程度の物質が通過する。また、分岐経路部５ｃは、粒径が花粉より大きい物質が通過する。なお、分岐経路部５ｃには検知部６は設けられていない。すなわち、粒径が花粉より大きい物質には、アレルゲン含有物質が含まれないものとして、分岐経路部５ｃを経由して蛍光検出器１から排出される。一方、分岐経路部５ａおよび分岐経路部５ｂには、それぞれ検知部６ａおよび検知部６ｂが設けられている。なお、図１に示すように、分岐経路部５は最終的に通過した物質を外部に排出する構成になっているが、この構成に限定されず、物質を蛍光検出器１の内部に収集する構成であってもよい。また、分岐経路部５ｃを備える代わりに、吸引部２にフィルタを設け、粒径が花粉より大きい物質を当該フィルタに吸着させる構成であってもよい。
【００２３】
（検知部６）
検知部６は、通過する物質に励起光を照射し、アレルゲン含有物質から発せられた蛍光を検知する。そして、検知した蛍光に基づく情報（具体的には、波長ごとの蛍光強度、以下、単に「蛍光強度」と称する）、および検知部６ａおよび検知部６ｂを識別する識別情報を演算部７に出力する。分岐経路部５を通る物質のうち、アレルゲン含有物質は励起光の照射によって所定波長の蛍光を発するので、分岐経路部５を通過する砂塵などの蛍光を発しない無機物とアレルゲン含有物質とを区別することができる。蛍光検出器１には２つの検知部６（検知部６ａおよび検知部６ｂ）が備えられている。検知部６ａは分岐経路部５ａに設けられ、照射部６１ａ、受光部６２ａ、および制御部６３ａを含む。また、検知部６ｂは分岐経路部５ｂに設けられ、照射部６１ｂ、受光部６２ｂ、および制御部６３ｂを含む。なお以降、照射部６１ａ、６１ｂ、受光部６２ａ、６２ｂ、および制御部６３ａ、６３ｂを区別する必要が無い場合、それぞれ「照射部６１」、「受光部６２」、および「制御部６３」と記載する。
【００２４】
照射部６１は、分岐経路部５を通過する物質に励起光を照射する光源である。なお、照射部６１としてはＬＥＤ（light emitting diode）を用いることが好ましい。照射部６１としてレーザーを用いてもよいが、レーザーを用いた場合、装置の大型化、装置の製造コストの増加などの課題がある。受光部６２は、分岐経路部５を通過する物質のうち、アレルゲン含有物質から発せられる蛍光を受光する受光素子である。なお、照射部６１としてＬＥＤを用いる場合、ＬＥＤはレーザーに比べて出力強度が低いため、高感度の受光部６２を用いることが好ましい。ただし、高感度化によりノイズの影響も大きくなるので、環境光に起因するノイズを防ぐため、受光部６２を含む検知部６は、外部からの光を遮断する構成となっていることが好ましい。また、照射部６１と受光部６２とを連動させることにより、照射部６１が励起光を照射したときに受光部６２が受光した蛍光の蛍光強度と、照射部６１が励起光を照射していないときに受光部６２が受光した蛍光の蛍光強度とを用いた演算を行う（例えば、上記２つの蛍光強度の差分をとる）ことによって、ノイズを低減する方法もある。制御部６３は、照射部６１および受光部６２の駆動を制御する。具体的には、制御部６３は、分岐経路部５を物質が通過するとき（例えば、吸引部２が吸引を開始してから所定時間が経過したとき）、照射部６１を駆動させて励起光を出射させ、受光部６２を駆動させて蛍光を受光させる。
【００２５】
図４は、３６０ｎｍの波長の励起光を照射したときのスギ花粉の蛍光特性を示す図であり、図５は、図１に示す検知部６ａの詳細を示す図である。なお、図４に示すグラフの横軸は蛍光の波長（wavelength）を示し、縦軸は蛍光の強度（Intensity）を示す。また、後述する図１０および図１３の縦軸および横軸についても、図４と同様である。図４に示すように、スギ花粉は３６０ｎｍの光（紫外光）を照射すると、４６０ｎｍをピーク波長とする蛍光を発する。このため、照射部６１は３６０ｎｍの光を照射するよう構成されており、また、受光部６２は、４６０ｎｍの光を受光するように構成されている。具体的には、図５に示すように、照射部６１ａは、４００ｎｍ以下の波長の光を選択的に通す（４００ｎｍより長い波長の光を遮光する）ショートパスフィルタ６５ａ（第１の遮光部材）を備えている。また、受光部６２ａは、４５０ｎｍ〜５００ｎｍの波長の光を選択的に通す（この波長帯域以外の光を遮光する）バンドパスフィルタ６６ａ（第２の遮光部材）を備えている。上記ショートパスフィルタ６５ａにより、検出対象である花粉やタンパク質以外の物質（例えばその他の有機物）から発生する蛍光の量を抑えることができる。また、上記バンドパスフィルタ６６ａにより、励起光が受光部６２に入射してノイズとなることを防ぐことができるので、スギ花粉およびスギ花粉由来のアレルゲン含有タンパク質の量をより正確に検知することができる。なお、図５には検知部６ａの構成を示しているが、検知部６ｂについても同様の構成である。
【００２６】
なお、図１では検知部６ごとに制御部６３を設けているが、１つの制御部６３で複数の検知部６に含まれる照射部６１および受光部６２を制御する構成であってもよい。また、検知部６は、受光部が受光した蛍光の蛍光強度を増幅する増幅部をさらに備える構成であってもよい。
【００２７】
（演算部７）
演算部７は、検知部６ａから取得した蛍光強度に基づいて、分岐経路部５ａを通るアレルゲン含有物質（具体的には、スギ花粉由来のアレルゲン含有タンパク質）の量を示す指標値を特定する。また、演算部７は、検知部６ｂから取得した蛍光強度に基づいて、分岐経路部５ｂを通るアレルゲン含有物質（具体的にはスギ花粉）の量を示す指標値を特定する。上述のように、検知部６ａおよび６ｂは、それぞれの識別情報とともに検出値を演算部７に出力するので、演算部７は、この識別情報に基づいて、検知部６ａおよび検知部６ｂのいずれから蛍光強度を取得したかを特定する。次に、演算部７は、検知部６が所定の期間（所定量の空気が分岐経路部５を通過する期間）に取得した蛍光強度から最大値を特定する。そして、記憶部８に記憶されている検量線データベース８１（以下、検量線ＤＢ８１）から、当該蛍光強度を出力した検知部６に応じた検量線を読み出し、当該検量線と特定した最大値とから上記指標値を特定する。なお、蛍光強度の最大値を用いることは必須ではなく、平均値、最頻値、所定時間内の積算値などを用いてもよい。
【００２８】
より具体的には、演算部７は、蛍光強度を出力した検知部６が検知部６ａであると特定した場合、検量線ＤＢ８１から、スギ花粉由来のアレルゲン含有タンパク質の指標値を特定するための検量線を読み出す。一方、検知部６ｂであると特定した場合、検量線ＤＢ８１から、スギ花粉の指標値を特定するための検量線を読み出す。つまり演算部７は、検知部６ａおよび検知部６ｂのいずれから蛍光強度を取得したかに応じて、アレルゲン含有物質がスギ花粉であるか、またはスギ花粉由来のアレルゲン含有タンパク質であるかを特定する。換言すれば、演算部７は、分岐経路部５に応じた方式で、アレルゲン含有物質の量を示す指標値を特定する。
【００２９】
また、演算部７は特定した指標値を、図示しない出力部に出力してもよい。出力部は指標値を出力する事ができれば、その構成は特に限定されない。例えば液晶ディスプレイなどの表示部であってもよいし、スピーカなどの音声出力部であってもよく、プリンタなどの印字出力であってもよい。なお、これらの出力部は、蛍光検出器１が備えていてもよいし、蛍光検出器１と通信可能な他の装置が備えていてもよい。他の装置が備えている場合、指標値を該装置に送信して出力させればよい。また、演算部７は特定した指標値を、スギ花粉であるか、またはスギ花粉由来のアレルゲン含有タンパク質であるかを示す情報、特定した日時を示す情報と対応付けて記憶部８に記憶してもよい。また、ユーザが図示しない操作部を用いて、記憶された指標値を出力部から出力させる構成となっていてもよい。
【００３０】
また、演算部７は、図１に示すように蛍光検出器１内に設けられていてもよいし、蛍光検出器１の外部の装置に設けられていてもよい。後者の場合、蛍光検出器１に通信部（図示せず）を設け、該通信部を介して、外部の装置（指標値の算出装置）に蛍光強度を送信して指標値を算出させてもよい。また、ユーザが、記録媒体を介して、あるいは手入力により、蛍光検出器１の検出した蛍光強度を指標値の算出装置に入力してもよい。
【００３１】
（記憶部８）
記憶部８は、蛍光検出器１にて扱われる各種データを記憶する。図１に示す例では、上述した検量線ＤＢ８１が記憶されている。検量線ＤＢ８１は、蛍光検出器１にて指標値を特定する対象のアレルゲン含有物質のそれぞれの検量線（蛍光強度と指標値との相関関係を示すデータであり、例えば蛍光強度を代入することで指標値が算出される数式）を含むデータベースである。本実施形態の検量線ＤＢ８１は、スギ花粉の検量線およびスギ花粉由来のアレルゲン含有タンパク質の検量線を含む。なお、記憶部８は、図１に示すように蛍光検出器１内に設けられていてもよいし、蛍光検出器１の外部に設けられていてもよい。後者の場合、蛍光検出器１に通信部（図示せず）を設け、該通信部を介して、外部の記憶部８から必要なデータを取得してもよい。また、例えばクラウド上のサーバ等の装置に検量線ＤＢ８１などのデータベースを格納しておき、該装置から指標値の算出に必要なデータを取得する構成であってもよい。また、演算部７と記憶部８とが蛍光検出器１の外部に設けられる場合、演算部７を備える装置と、記憶部８を備える装置とは同じ装置であってもよいし、異なる装置であってもよい。
【００３２】
（検量線の作成例）
ここで、スギ花粉の検量線およびスギ花粉由来のアレルゲン含有タンパク質の検量線の作成例について図６〜図８を参照して説明する。図６は、花粉の蛍光強度の測定に使用する反射型蛍光測定装置２０の概略図であり、図７は、スギ花粉の個数と蛍光強度との関係を示すグラフであり、図８は、スギ花粉由来のアレルゲン含有タンパク質の濃度と蛍光強度との関係を示すグラフである。なお、ここで説明する検量線の作成方法は一例であり、この方法に限定されるものではない。
【００３３】
まず、スギ花粉の検量線の作成例について説明する。スギ花粉の蛍光強度を測定するために、図６に示す反射型蛍光測定装置２０を用いた。反射型蛍光測定装置２０は、励起光を出射する励起光源２１、および蛍光を受光する受光部２２を備える。また反射型蛍光測定装置２０は、対象物の蛍光強度が最大となるように、励起光源２１の角度、受光部２２の角度、励起光源２１の高さ、受光部２２の高さを最適化している。励起光源２１として、３６５ｎｍの励起光を出射するＬＥＤを使用している。また、励起光源の前面には、３６５ｎｍを中心として半値幅３０ｎｍの紫外線透過フィルタが設けられている。これにより、ＬＥＤから出射される４００ｎｍ以上の光をカットし、スギ花粉が蛍光を発するために必要な光以外の余分な光が受光部２２に入射しないようにしている。
【００３４】
また、図６に示す対象物（以下、スギ花粉）Ａのサンプルは以下のように作製した。まず、スギ花粉１ｍｇを量りとり、花粉の破裂を防ぐための超純水を加え、花粉濃度が２ｎｇ／μＬ、２０ｎｇ／μＬ、６０ｎｇ／μＬ、１００ｎｇ／μＬとなるように段階的にスギ花粉の超純水溶液（以下、溶液）を調整した。次に、サンプルを保持するためのスライドガラスに、調整した溶液を１０μＬ滴下し、実大気中での使用を考慮して、溶液を滴下したスライドガラスを静置して乾燥させた。これにより、上記の４種類の濃度の溶液にそれぞれ対応する４つのスギ花粉Ａのサンプルを作製した。その後、各サンプルについて反射型蛍光測定装置２０を用いて蛍光強度の測定を行った。
【００３５】
また、各サンプルについて光学顕微鏡（不図示）を用いて目視により花粉の個数の計測を行った。その結果、花粉濃度を２ｎｇ／μＬ、２０ｎｇ／μＬ、６０ｎｇ／μＬ、１００ｎｇ／μＬなるように調整した各サンプルの花粉個数はそれぞれ、１２個、４１個、１０９個、１５９個であった。
【００３６】
以上の結果に基づき、図７に示すスギ花粉個数と蛍光強度との関係のグラフを作成した。なお、図７における蛍光強度の単位「（ａ．ｕ．）」は任意単位であり、図７の蛍光強度の数値には、反射型蛍光測定装置２０で検出した数値をそのまま用いている。図７に示すように、スギ花粉個数と蛍光強度とには相関関係があり、この検量線を用いることにより、蛍光強度に応じたスギ花粉の量（個数）を特定可能であることが分かる。演算部７は、この検量線（図示のグラフを示す数式）を用いて、特定したスギ花粉の蛍光強度の最大値から、分岐経路部５ｂを通過したスギ花粉の指標値（個数）を特定する。
【００３７】
続いて、スギ花粉由来のアレルゲン含有タンパク質の検量線の作成例について説明する。反射型蛍光測定装置２０を用いて蛍光強度を測定するためのアレルゲン含有タンパク質のサンプルは以下のように作製した。まず、スギ花粉を約０．０４ｇ量りとり、タンパク質抽出液１０００μＬを加えた。その後４℃下に保管して、１２時間かけてスギ花粉由来のアレルゲン含有タンパク質を抽出した。なお、タンパク質抽出液とは、スギ花粉を破裂させて、スギ花粉内に含まれるタンパク質を抽出するための溶液である。
【００３８】
当該アレルゲン含有タンパク質を抽出した溶液（スギ花粉濃度４０μｇ／μＬ）を緩衝液で希釈し、希釈倍率１０００倍、２０００倍、３０００倍、５０００倍、６０００倍、および７０００倍の溶液をそれぞれ調整した。その後、１４０００ｒｐｓで２分間の遠心分離を行った。次に、サンプルを保持するためのスライドガラスに、調整した溶液の上澄みを１０μＬ滴下し、実大気中での使用を考慮して、溶液を滴下したスライドガラスを静置して乾燥させた。これにより、上記の６種類の濃度の溶液にそれぞれ対応する６つのサンプル（アレルゲン含有タンパク質のサンプル）を作製した。
【００３９】
その後、各サンプルについて反射型蛍光測定装置２０を用いて蛍光強度の測定を行うとともに、ＳＰＲを用いてアレルゲン含有タンパク質の量を特定した。また、各サンプルのアレルゲン含有タンパク質の量を、各サンプルの液量（１０μＬ）で除算し、各サンプルのアレルゲン含有タンパク質の濃度（ｐｇ／μＬ）を算出した。そして、この結果に基づき、図８に示す、スギ花粉由来のアレルゲン含有タンパク質の濃度と蛍光強度との関係を示すグラフを作成した。図８に示すように、スギ花粉由来のアレルゲン含有タンパク質の濃度と蛍光強度とには相関関係がある。このため、この検量線を用いることにより、蛍光強度に応じたスギ花粉由来のアレルゲン含有タンパク質の濃度を特定可能であることが分かる。演算部７は、この検量線（図示のグラフを示す数式）を用いて、特定したスギ花粉由来のアレルゲン含有タンパク質の蛍光強度の最大値から、分岐経路部５ａを通過したスギ花粉由来のアレルゲン含有タンパク質の指標値（溶液中のアレルゲン含有タンパク質の濃度）を特定する。アレルゲン含有タンパク質の濃度の値が大きければ、アレルゲンの量が多いとみなせるため、ユーザは、アレルゲン含有タンパク質の指標値を確認することで、アレルゲンの量を推定することができる。
【００４０】
以上のように、蛍光検出器１は、吸引した複数種類の物質のうち、スギ花粉由来のアレルゲン程度の大きさの物質を分岐経路部５ａに送り、検知部６ａにて励起光を照射し、スギ花粉由来のアレルゲン含有タンパク質の蛍光を受光する。また、蛍光検出器１は、スギ花粉程度の大きさの物質を分岐経路部５ｂに送り、検知部６ｂにて励起光を照射し、スギ花粉の蛍光を受光する。また、蛍光検出器１の演算部７は蛍光強度を検知部６から取得し、検知部６ａおよび検知部６ｂのいずれから当該蛍光強度を取得したかに応じて、記憶部８の検量線ＤＢ８１から、アレルゲン含有タンパク質の検量線またはスギ花粉の検量線を読み出す。そして、蛍光強度から特定した最大値と、読み出した検量線とを用いてアレルゲン含有物質（スギ花粉由来のアレルゲン含有タンパク質またはスギ花粉）の量を特定する。
【００４１】
以上より、蛍光検出器１は、花粉だけでなく、花粉由来のアレルゲン含有タンパク質の量についても検出することができる。また、蛍光検出器１は、アレルゲン含有タンパク質と花粉とをそれぞれ別の分岐経路部５に送り、励起光を照射するので、花粉およびアレルゲン含有タンパク質のそれぞれを正確に検出することができる。よって、花粉の浮遊量は少ないが、アレルゲン含有タンパク質の浮遊量が多い状況において、アレルゲン含有タンパク質の浮遊量が多いことをユーザに認識させることが可能となる。
【００４２】
〔実施形態２〕
本発明の他の実施形態について、図９〜図１３に基づいて説明すれば、以下のとおりである。なお、説明の便宜上、前記実施形態にて説明した部材と同じ機能を有する部材については、同じ符号を付記し、その説明を省略する。
【００４３】
図９は、本実施形態に係る蛍光検出器１ａの要部構成の一例を示す図である。花粉症を発症する原因となる花粉には、スギ花粉以外にもヒノキ花粉、ブタクサ花粉、イネ花粉など複数の種類があり、季節、地域などによって飛散する花粉が異なる。また、それぞれの花粉の励起波長および蛍光波長は異なる。
【００４４】
そこで、本実施形態に係る蛍光検出器１ａは、分岐経路部５ａにおいて、検知対象のアレルギー物質（具体的には、アレルゲン含有タンパク質の種類）が異なる複数の検知部６ａ（具体的には、検知部６ａ１〜６ａｎのｎ個）を備える。同様に、分岐経路部５ｂにおいて、検知対象のアレルギー物質（具体的には、花粉の種類）が異なる複数の検知部６ｂ（具体的には、検知部６ｂ１〜６ｂｎのｎ個）を備える。具体的には、各検知部６では、照射部６１（図示せず）は、検知対象のアレルギー物質を励起する波長帯域の励起光を照射し、受光部６２（図示せず）は、検知対象のアレルギー物質が上記励起光の照射を受けて発する波長帯域の蛍光を受光する。このため、各検知部６における、励起光の波長帯域および受光可能な蛍光の波長帯域の少なくとも一方が、他の検知部６に含まれる照射部６１および受光部６２における励起光の波長帯域および受光可能な蛍光の波長帯域と異なるようになっている。なお以降、検知部６ａ１〜６ａｎおよび検知部６ｂ１〜６ｂｎのそれぞれを区別する必要が無い場合は、「検知部６」と記載する。また、検知部６ａ１〜６ａｎを区別する必要が無い場合は、「検知部６ａ」と記載し、検知部６ｂ１〜６ｂｎを区別する必要が無い場合は、「検知部６ｂ」と記載する。
【００４５】
また、各検知部６の制御部６３（図示せず）は、分岐経路部５を物質が通過するとき（例えば、吸引部２が吸引を開始してから所定時間が経過したとき）、照射部６１を駆動させて励起光を出射させ、受光部６２を駆動させて蛍光を受光させる。
【００４６】
図１０は、４４０ｎｍの波長の励起光を照射したときの、オオブタクサ花粉由来のアレルゲン含有タンパク質の蛍光特性を示す図である。図１０に示すように、オオブタクサ花粉由来のアレルゲン含有タンパク質は４４０ｎｍの光を照射すると、５１５ｎｍをピーク波長とする蛍光を発する。このため、オオブタクサ花粉由来のアレルゲン含有タンパク質の蛍光を検出するための検知部６ａにおける照射部６１は４４０ｎｍの光を照射するように構成されており、また、受光部６２は、５１５ｎｍの光を受光するように構成されている。なお、オオブタクサ花粉を検出するための検知部６ｂについても同様である。
【００４７】
本実施形態に係る検量線ＤＢ８１は、各検知部６ｂの検知対象である花粉の検量線（スギ花粉の検量線および他の花粉の検量線）を格納している。また、各検知部６ａの検知対象である花粉由来のアレルゲン含有タンパク質の検量線（スギ花粉由来のアレルゲン含有タンパク質の検量線および他の花粉由来のアレルゲン含有タンパク質の検量線）も格納している。つまり、検量線ＤＢ８１は、複数のアレルゲン含有物質の検量線を、各アレルゲン含有物質を識別する情報（例えば、「スギ花粉」「スギ花粉由来のアレルゲン含有タンパク質」など）、および、検知部６を識別する識別情報と対応付けて格納している。図１１は、このような検量線の一例である、オオブタクサ花粉由来のアレルゲン含有タンパク質と蛍光強度との関係を示すグラフである。オオブタクサ花粉はスギ花粉と異なる時期に飛散する花粉であり、主に秋の花粉症の原因となる。図１１に示すように、オオブタクサ花粉由来のアレルゲン含有タンパク質の濃度と蛍光強度とには相関関係がある。このため、この検量線を用いることにより、蛍光強度に応じたオオブタクサ花粉由来のアレルゲン含有タンパク質の濃度を特定可能であることがわかる。
【００４８】
なお、オオブタクサ花粉由来のアレルゲン含有タンパク質の検量線は、以下のように作成した。まず、オオブタクサ花粉を約０．０１ｇ量りとり、タンパク質抽出液２０００μＬを加えた。その後４℃下に保管して、１８時間かけてオオブタクサ花粉アレルゲンを含むタンパク質を抽出した。
【００４９】
当該アレルゲン含有タンパク質を抽出した溶液（オオブタクサ花粉濃度５μｇ／μＬ）を緩衝液で希釈し、希釈倍率１０００倍、２０００倍、３０００倍、５０００倍、６０００倍、および７０００倍の溶液をそれぞれ調整した。その後、１４０００ｒｐｓで２分間の遠心分離を行った。次に、サンプルを保持するためのスライドガラスに、調整した溶液の上澄みを１０μＬ滴下し、実大気中での使用を考慮して、溶液を滴下したスライドガラスを静置して乾燥させた。これにより、上記の６種類の濃度の溶液にそれぞれ対応する６つのサンプル（アレルゲン含有タンパク質のサンプル）を作製した。
【００５０】
その後、各サンプルについて反射型蛍光測定装置２０を用いて蛍光強度の測定を行うとともに、ＳＰＲを用いてアレルゲン含有タンパク質の量を特定した。また、各サンプルのアレルゲン含有タンパク質の量を、各サンプルの液量（１０μＬ）で割って、各サンプルのアレルゲン含有タンパク質の濃度（ｐｇ／μＬ）を算出した、そして、この結果に基づき、図１１に示す、オオブタクサ花粉由来のアレルゲン含有タンパク質の濃度と蛍光強度との関係を示すグラフを作成した。
【００５１】
本実施形態に係る演算部７は、検知部６から取得した識別情報に応じて、検量線ＤＢ８１から検量線を読み出す。上述のように、検量線ＤＢ８１では、複数種類のアレルゲン含有物質のそれぞれについて、該アレルゲン含有物質を検出する検知部６の識別情報と検量線が対応付けられている。よって、本実施形態に係る演算部７は、識別情報によって花粉であるか、またはアレルゲン含有タンパク質であるかだけでなく、花粉またはアレルゲン含有タンパク質の種類を特定していると言える。
【００５２】
以上より、蛍光検出器１ａは複数種類の花粉、および、複数種類の花粉由来のアレルゲン含有タンパク質の量を示す指標値をそれぞれ特定することができる。例えば、図９に示す検知部６ａ１は、スギ花粉由来のアレルゲン含有タンパク質を検知対象とし、検知部６ａ２は、オオブタクサ花粉由来のアレルゲン含有タンパク質を検知対象とする。また、検知部６ｂ１は、スギ花粉を検知対象とし、検知部６ｂ２は、オオブタクサ花粉を検知対象とする。これにより、季節や地域に応じて異なる蛍光検出器を設置する必要が無くなる。例えば、上記の蛍光検出器１ａによれば、春と秋とで同じ蛍光検出器１ａを使用して、スギ花粉およびオオブタクサ花粉について、花粉そのもの、およびアレルゲン含有タンパク質の量を示す指標値を特定することができる。
【００５３】
（実施形態２の変形例）
次に、実施形態２の変形例について説明する。図１２は、本変形例に係る蛍光検出器１ｂの要部構成の一例を示す図である。図１２に示すように、本実施形態に係る検知部６ａは、複数の照射部６１ａ（具体的には、照射部６１ａ１〜６１ａｎのｎ個）を備えている。同様に、検知部６ｂは、複数の照射部６１ｂ（具体的には、照射部６１ｂ１〜６１ｂｎのｎ個）を備えている。なお以降、照射部６１ａ１〜６１ａｎおよび検知部６１ｂ１〜６１ｂｎのそれぞれを区別する必要が無い場合は、「照射部６１」と記載する。
【００５４】
本実施形態に係る制御部６３は、それぞれ異なるタイミングで各照射部６１を駆動させ、各照射部６１は、検知対象のアレルゲン含有物質を励起する波長帯域の励起光を照射する。そして、本実施形態に係る受光部６２は、検知対象の複数のアレルゲン含有物質が発する蛍光（すなわち、広範囲の波長帯域の光）を受光する。これにより、１つの受光部６２にて、複数種類のアレルゲン含有物質から発せられる蛍光を検出することができる。よって、蛍光検出器１ａに比べて少ない数の受光部６２および制御部６３にて、複数種類のアレルゲン含有物質を検出することができる。また、これにより、蛍光検出器１ａに比べて装置を小型化および簡易化することも可能になる。なお、図１２では、照射部６１ａおよび照射部６１ｂが、それぞれ横並びで記載されているが、これは検知部６が複数の照射部６１を備えることをわかりやすく示すためのものであり、照射部６１の配置は図１２の例に限定されない。また、照射部６１は、各照射部６１と受光部６２との距離が略同一となるように配置されていることが好ましい。この場合、例えば、照射部６１はアレイ状に並んで配置されている。
【００５５】
また、本変形例に係る検知部６は、蛍光強度とともに、当該蛍光の要因となった励起光を照射した照射部６１を識別する照射部識別情報を演算部７に出力する。また、本変形例に係る検量線ＤＢ８１は、アレルゲン含有物質を識別する情報（例えば、「スギ花粉」「スギ花粉由来のアレルゲン含有タンパク質」など）と、アレルゲン含有物質の検量線とを、照射部識別情報に対応付けて格納している。
【００５６】
演算部７が実行するアレルゲン含有物質の特定方法としては、各照射部６１が順次駆動した際のアレルゲン含有物質が発する蛍光を、受光部６２が順次受光し、蛍光強度が最大の蛍光の要因となった励起光を照射した照射部６１の照射部識別情報から、アレルゲン含有物質を特定する、または、受光部６２が受光した各蛍光（すなわち、異なる励起光によって発生した複数の蛍光）の蛍光強度の比からアレルゲン含有物質を特定するといったことが考えられる。
【００５７】
アレルゲン含有物質を特定した後、演算部７は、蛍光強度が最大の蛍光の要因となった励起光を照射した照射部６１の照射部識別情報に対応付けられている検量線を読み出す。そして、特定した蛍光強度と、読み出した検量線とを用いてアレルゲン含有物質（特定した花粉由来のアレルゲン含有タンパク質、または、特定した花粉）の量を示す指標値を特定する。
【００５８】
なお、蛍光検出器１ａおよび蛍光検出器１ｂは、花粉だけでなく、ダニおよびダニ由来のアレルゲン含有タンパク質を検出可能に構成されていてもよい。図１３は、ヤケヒョウダニ由来のアレルゲン含有タンパク質の蛍光特性を示す図である。図１３に示すように、ヤケヒョウダニ由来のアレルゲン含有タンパク質は、紫外光（具体的には、３６０ｎｍの光）を照射することで、４４０ｎｍをピーク波長とする蛍光を発する。また、可視光（具体的には、４００〜４９０ｎｍの光）を照射することで黄色から緑色（具体的には、５５０〜５８０ｎｍ）の蛍光を発する。なお、ヤケヒョウダニ自体の蛍光特性についても同様である。蛍光検出器１ａは、分岐経路部５〜５ｃと異なる分岐経路部５（例えば、分岐経路部５ｄおよびｄｅ（図示せず））を備え、ヤケヒョウダニ程度の粒径の物質を分岐経路部５ｄに送る分岐部４ｄと、ヤケヒョウダニ由来アレルゲン含有タンパク質程度の粒径の物質を分岐経路部５ｅに送る分岐部４ｅとをさらに備え、当該分岐経路部５ｄおよび５ｅには、上述した励起光を出射する照射部６１、および、上述したような蛍光を受光する受光部６２を含む検知部６を備えることで、ヤケヒョウダニおよびヤケヒョウダニ由来のアレルゲン含有タンパク質を検出することができる。また、蛍光検出器１ｂは、上述した励起光を出射する照射部６１を検知部６内に備えることで、ヤケヒョウダニおよびヤケヒョウダニ由来のアレルゲン含有タンパク質を検出することができる。
【００５９】
なお、上述の例では、ヤケヒョウダニを例に挙げて説明したが、他の種類のダニおよびダニ由来のアレルゲン含有タンパク質を検出してもよい。この場合、検出するダニおよびダニ由来のアレルゲン含有タンパク質の蛍光特性に応じた検知部６を設ければよい。
【００６０】
〔実施形態３〕
本発明のさらに別の実施形態について、図１４および図１５に基づいて説明すれば、以下のとおりである。なお、説明の便宜上、前記実施形態にて説明した部材と同じ機能を有する部材については、同じ符号を付記し、その説明を省略する。
【００６１】
図１４は、スギ花粉由来のアレルゲン含有タンパク質およびヒノキ花粉由来のアレルゲン含有タンパク質の蛍光特性を示す図であり、（ａ）は、３６０ｎｍの励起光を照射したときの蛍光特性を示す図であり、（ｂ）は、４４０ｎｍの励起光を照射したときの蛍光特性を示す図である。また、図１５は、本実施形態に係る蛍光検出器１ｃの要部構成の一例を示す図である。なお、図１４の（ａ）および（ｂ）に記載の「pollen fluorescence」は、花粉由来のアレルゲン含有タンパク質の蛍光であることを示している。
【００６２】
実施形態２では、検知対象のアレルゲン含有物質ごとに検知部６を設ける構成を説明した。しかしながら、あるアレルゲン含有物質を励起するための励起光で、別のアレルゲン含有物質が蛍光する可能性がある。
【００６３】
例えば、図１４の（ａ）に示すように、ヒノキ花粉由来のアレルゲン含有タンパク質に、スギ花粉由来のアレルゲン含有タンパク質を励起する励起光（３６０ｎｍ）を照射すると、スギ花粉由来のアレルゲン含有タンパク質に照射したときよりも弱い蛍光を発する。このため、ヒノキ花粉由来のアレルゲン含有タンパク質と、スギ花粉由来のアレルゲン含有タンパク質との双方が飛散しているときに、スギ花粉由来のアレルゲン含有タンパク質の検出用の励起光を照射した場合、スギ花粉由来のアレルゲン含有タンパク質のみならず、ヒノキ花粉由来のアレルゲン含有タンパク質も蛍光を発する。
【００６４】
また、図１４の（ｂ）に示すように、スギ花粉由来のアレルゲン含有タンパク質に、ヒノキ花粉由来のアレルゲン含有タンパク質を励起する励起光（４４０ｎｍ）を照射すると、ヒノキ花粉由来のアレルゲン含有タンパク質に照射したときよりも弱い蛍光を発する。このため、ヒノキ花粉由来のアレルゲン含有タンパク質と、スギ花粉由来のアレルゲン含有タンパク質との双方が飛散しているときに、ヒノキ花粉由来のアレルゲン含有タンパク質の検出用の励起光を照射した場合にも、ヒノキ花粉由来のアレルゲン含有タンパク質のみならず、スギ花粉由来のアレルゲン含有タンパク質も蛍光を発する。
【００６５】
つまり、あるアレルゲン含有物質を検知対象とする検知部６から照射された励起光で、検知対象のアレルゲン含有物質と異なるアレルゲン含有物質が蛍光を発した結果、アレルゲン含有物質の種類を誤って特定してしまう（例えば、ヒノキ花粉をスギ花粉と特定してしまう）可能性がある。
【００６６】
そこで、本実施形態に係る蛍光検出器１ｃは、図１５に示すように、記憶部８ｃが、スペクトルデータベース８２（以下、スペクトルＤＢ８２）を記憶している。スペクトルＤＢ８２は、複数のアレルゲン含有物質の蛍光スペクトルを、各アレルゲン含有物質を識別する情報（例えば、「スギ花粉」「スギ花粉由来のアレルゲン含有タンパク質」など）、および、検知部６を識別する識別情報と対応付けて格納しているデータベースである。例えば、検知部６ａ１の識別情報には、スギ花粉由来のアレルゲン含有タンパク質、および、ヒノキ花粉由来のアレルゲン含有タンパク質を示す名称と、図１４の（ａ）に示すスペクトルが対応付けられている。また、検知部６ａ２の識別情報には、スギ花粉由来のアレルゲン含有タンパク質、および、ヒノキ花粉由来のアレルゲン含有タンパク質を示す名称と、図１４の（ｂ）に示すスペクトルが対応付けられている。
【００６７】
演算部７ｃは、検知部６から識別情報と蛍光強度とを取得すると、識別情報によって特定されるアレルゲン含有物質の蛍光スペクトルをスペクトルＤＢ８２から読み出す。そして、取得した複数の蛍光強度の最大値（例えば、検知部６ａ１から取得した蛍光強度の最大値と、検知部６ａ２から取得した蛍光強度の最大値）の比率を算出ることで、分岐経路部５を通過したアレルゲン含有物質の主成分を特定する。例えば、検知部６ａ１から取得した蛍光強度の最大値が、検知部６ａ２から取得した蛍光強度の最大値の１．４倍程度であった場合、演算部７ｃは、アレルゲン含有物質の主成分は、スギ花粉由来のアレルゲン含有タンパク質であると特定する。一方、検知部６ａ１から取得した蛍光強度の最大値が、検知部６ａ２から取得した蛍光強度の最大値の０．７倍程度であった場合、演算部７ｃは、アレルゲン含有物質の主成分は、ヒノキ花粉由来のアレルゲン含有タンパク質であると特定する。
【００６８】
なお、蛍光強度の最大値を用いることは必須ではなく、平均値や最頻値などを用いてもよい。また、演算部７ｃは、分岐経路部５を通過したアレルゲン含有物質それぞれの量を示す指標値を特定してもよい。スギ花粉由来のアレルゲン含有タンパク質を例に挙げて説明すると、演算部７ｃは、算出した蛍光強度の最大値の比率から、分岐経路部５を通過したアレルゲン含有物質のうちの、スギ花粉由来のアレルゲン含有タンパク質の割合を算出する。そして、当該割合と、検量線ＤＢ８１から読み出したスギ花粉由来のアレルゲン含有タンパク質の検量線とを用いて、スギ花粉由来のアレルゲン含有タンパク質の量を示す指標値を特定する。
【００６９】
〔実施形態４〕
本発明のさらに別の実施形態について、図１６および図１７に基づいて説明すれば、以下のとおりである。なお、説明の便宜上、前記実施形態にて説明した部材と同じ機能を有する部材については、同じ符号を付記し、その説明を省略する。
【００７０】
図１６は、本実施形態に係る蛍光検出器１ｄの要部構成の一例を示す図である。蛍光検出器１ｄは、図１６に示すように、分岐経路部５ａ内のアレルゲン含有物質を加熱する加熱部９ａと、分岐経路部５ｂ内のアレルゲン含有物質を加熱する加熱部９ｂとをさらに備えている。なお以降、加熱部９ａおよび加熱部９ｂを区別する必要が無い場合、「加熱部９」と記載する。また、加熱部９の構成は、励起光の照射時、または励起光の照射直前のアレルゲン含有物質を所定の温度（後述するように１００〜２００℃が好ましい）に加熱することができれば特に限定されない。なお、図示の例では、励起光照射直前のアレルゲン含有物質を加熱するために、加熱部９を照射部６１の直前に配置している。
【００７１】
蛍光検出器１ｄがアレルゲン含有物質を加熱する理由を図１７に基づいて説明する。図１７は、加熱前および加熱後におけるスギ花粉由来のアレルゲン含有タンパク質の濃度と蛍光強度との関係を示すグラフである。蛍光物質は、励起光照射時、または励起光照射直前に熱を加えることによって蛍光強度が増幅することが知られている。特に、１００〜２００℃の熱を蛍光物質に加えることによって、熱を加えずに測定した蛍光強度の数倍から数１０倍程度、蛍光強度が増幅する。図１７に示すように、スギ花粉由来のアレルゲン含有タンパク質についても、加熱によってアレルゲン含有タンパク質の蛍光強度が増幅される。
【００７２】
上述のように、加熱によって蛍光強度が変化するので、本実施形態に係る検量線ＤＢ８１は、加熱部９による加熱の程度に応じた、スギ花粉およびスギ花粉由来のアレルゲン含有タンパク質の検量線を記憶している。これにより、蛍光検出器１ｄにおいてスギ花粉またはスギ花粉由来のアレルゲン含有タンパク質の量を示す指標値を特定することができる。
【００７３】
以上より、本実施形態に係る蛍光検出器１ｄによれば、分岐経路部５を通るアレルゲン含有物質を加熱する加熱部９を備えている。これによって、アレルゲン含有物質の蛍光強度が増幅されるので、より少量の花粉やアレルゲン含有タンパク質を検出すること（検出限界を下げること）ができる。なお、本実施形態の構成をその他の実施形態に適用してもよい。つまり、加熱部９は、上述および後述のいずれの実施形態の構成にも適用可能である。
【００７４】
〔実施形態５〕
本発明のさらに別の実施形態について、図１８〜図２０に基づいて説明すれば、以下のとおりである。なお、説明の便宜上、前記実施形態にて説明した部材と同じ機能を有する部材については、同じ符号を付記し、その説明を省略する。
【００７５】
図１８は、本発明の実施形態５に係る蛍光検出器１ｅの要部構成の一例を示す図であり、図１９は、蛍光検出器１ｅの検知部６ａ１の詳細を示す図であり、図２０は、受光部６４に設けられた各フィルタの光透過特性を示す図である。図１８に示すように、本実施形態に係る蛍光検出器１ｅは、実施形態２で説明した蛍光検出器１ａと同様に、分岐経路部５ａおよび分岐経路部５ｂのそれぞれに複数の検知部６（６ａ１〜６ａｎ、６ｂ１〜６ｂｎ）を備える構成である。詳細は以下で説明するが、蛍光検出器１ｅは検知部の構成が蛍光検出器１ａと相違している。
【００７６】
蛍光検出器１ｅの検知部６について、図１９に基づいて説明する。図１９の（ａ）に示すように、検知部６ａ１は、３つの受光部６４ａ１、受光部６４ａ２、受光部６４ａ３を備える。以降、受光部６４ａ１、受光部６４ａ２、受光部６４ａ３を区別する必要が無い場合、「受光部６４」と記載する。受光部６４は、フォトダイオードなどの受光素子であってもよい。なお、図１９には、検知部６ａ１の構成を示しているが、検知部６ａ２〜６ａｎおよび６ｂ１〜６ｂｎも同様の構成である。
【００７７】
また、図１９の（ａ）に示すように、受光部６４ａ１、受光部６４ａ２、受光部６４ａ３は、それぞれＢフィルタ６７ａ１、Ｇフィルタ６７ａ２、Ｒフィルタ６７ａ３（光学素子）を備えている。
【００７８】
この３種類のフィルタについて、図２０を参照して説明する。図２０は、受光部６４に設けられた各フィルタの光透過特性を示す図である。図２０に示すように、Ｂフィルタ６７ａ１は青色光（具体的には、４００〜５００ｎｍ）を選択的に通し、Ｇフィルタ６７ａ２は緑色光（具体的には５００〜６００ｎｍ）を選択的に通し、Ｒフィルタ６７ａ３は赤色光（具体的には６００〜７００ｎｍ）を選択的に通す。
【００７９】
以上より、Ｂフィルタ６７ａ１を備える受光部６４ａ１は、アレルギー物質が発する蛍光のうち、Ｂフィルタ６７ａ１の透過光、すなわち青色成分の光を受光し、その蛍光強度を出力する。同様に、Ｇフィルタ６７ａ２を備える受光部６４ａ２はアレルギー物質が発する蛍光のうち緑色成分の光の蛍光強度を出力し、Ｒフィルタ６７ａ３を備える受光部６４ａ３はアレルギー物質が発する蛍光のうち赤色成分の光の蛍光強度を出力する。そして、これらの各蛍光強度は、演算部７ｅ（第２の特定部）に出力される。
【００８０】
なお、検知部６ａ１は、蛍光を色成分ごとに分離し、各色成分の蛍光強度を検出できるものであればよく、図１９の（ａ）の例に限られない。例えば、図１９の（ｂ）に示すように、複数の受光部６４ａの代わりに撮像素子６９ａを備え、当該撮像素子６９ａに、上記フィルタの代わりにカラーフィルタ６８ａ（光学素子）を備えた構成であってもよい。撮像素子６９ａは、例えばＣＣＤ（charge-coupled device）やＣＭＯＳ（complementary metal-oxide semiconductor）であってもよい。図１９の（ｃ）は、カラーフィルタ６８ａを上方向（蛍光の透過方向）から見た図である。カラーフィルタ６８ａは、図１９の（ｃ）に示すように、青色光を選択的に通すＢフィルタ領域、緑色光を選択的に通すＧフィルタ領域、赤色光を選択的に通すＲフィルタ領域を有している。各領域はそれぞれ、撮像素子６９ａの各画素に対応している。なお、各領域の透過特性は、上述の各フィルタと同様である。つまり、アレルゲン含有物質が発した蛍光は、カラーフィルタ６８ａによって青色成分、緑色成分、および赤色成分に分解されて撮像素子６９ａのそれぞれ異なる領域（各画素）に入射する。そして、撮像素子６９ａは各領域で受光した光について、青色成分、緑色成分、および赤色成分の各強度を特定する。具体的には、Ｂフィルタ領域、Ｇフィルタ領域、Ｒフィルタ領域に入射した光をそれぞれ平均することで、青色成分、緑色成分、および赤色成分の各強度を特定する。そして、撮像素子６９ａは、蛍光の青色成分、緑色成分、および赤色成分の各強度を演算部７ｅに出力する。なお、検知部６ａ２〜６ａｎおよび６ｂ１〜６ｂｎについても同様の構成としてもよい。なお、蛍光の青色成分、緑色成分、および赤色成分の各強度の特定方法は上記の例に限定されない。例えば、Ｂフィルタ領域、Ｇフィルタ領域、Ｒフィルタ領域に入射した光をそれぞれ積算してもよい。
【００８１】
以上のようにして、検知部６ａ１は、蛍光の青色成分、緑色成分、および赤色成分の各強度と、検知部６ａ１の識別情報とを演算部７ｅに出力する。演算部７ｅは、取得した各成分の強度に基づいて各成分の階調値をそれぞれ算出してＲ値、Ｇ値、およびＢ値を要素とする階調信号とする。具体的には、受光部６２が受光した蛍光を電気信号に変換し、演算部７ｅに出力する。演算部７ｅは、当該電気信号をＡ／Ｄ変換、すなわち、アナログ信号をデジタル信号に変換する処理を行うことで、当該電気信号を階調値に変換する。なお、Ａ／Ｄ変換のレンジは蛍光強度の大きさに依存する。なお、電気信号を増幅器で増幅した後に、Ａ／Ｄ変換を行ってもよい。この場合、Ａ／Ｄ変換のレンジは増幅後に取り得る値の範囲に基づいて決定される。そして、該階調信号に対してＨＳＶ変換を行う。具体的には、ＨＳＶ変換では、算出した階調信号から蛍光の色相、彩度、および明度を示すパラメータ（算出値、それぞれ、Ｈ値、Ｓ値、Ｖ値）を算出する。
【００８２】
例えば、以下のような計算式を用いて、Ｈ値、Ｓ値、Ｖ値を算出する。まず、階調信号の最大値（ＭＡＸ）および最小値（ＭＩＮ）を以下のように定義する。
ＭＡＸ＝ｍａｘ（Ｒ，Ｇ，Ｂ）
ＭＩＮ＝ｍｉｎ（Ｒ，Ｇ，Ｂ）
ここで、ｍａｘ（Ｒ，Ｇ，Ｂ）はＲ値、Ｇ値、Ｂ値のうちの最大値であり、ｍｉｎ（Ｒ，Ｇ，Ｂ）はＲ値、Ｇ値、Ｂ値のうちの最小値である。
【００８３】
そして、Ｈ値、Ｓ値、Ｖ値を以下のように算出する。なおＨ値は、最小値がＲ値、Ｇ値、Ｂ値のいずれであるかに応じて計算式が異なる。なお、最小値が２つある場合は、当該２つの値にそれぞれ対応する２つの計算式のうち、いずれを使ってもよい。
ＭＩＮ＝Ｂである場合
Ｈ＝６０×｛（Ｇ−Ｒ）／（ＭＡＸ−ＭＩＮ）｝＋６０
ＭＩＮ＝Ｒである場合
Ｈ＝６０×｛（Ｂ−Ｇ）／（ＭＡＸ−ＭＩＮ）｝＋１８０
ＭＩＮ＝Ｇである場合
Ｈ＝６０×｛（Ｒ−Ｂ）／（ＭＡＸ−ＭＩＮ）｝＋３００
ＭＩＮ＝ＭＡＸである場合
Ｈ＝ｕｎｄｅｆｉｎｅｄ
Ｓ＝ＭＡＸ−ＭＩＮ
Ｖ＝ＭＡＸ
また、本実施形態に係る蛍光検出器１ｅの記憶部８ｅは、新たにＨＳＶ空間データベース８３（以下、ＨＳＶ空間ＤＢ８３）を記憶している。ＨＳＶ空間ＤＢ８３は、複数のアレルゲン含有物質の蛍光強度から算出したＨ値、Ｓ値、Ｖ値を、各アレルゲン含有物質を識別する情報（例えば、「スギ花粉」「スギ花粉由来のアレルゲン含有タンパク質」など）、および、検知部６を識別する識別情報と対応付けて格納しているデータベースである。
【００８４】
演算部７ｅは、検知部６から取得した識別情報によって特定されるアレルゲン含有物質のＨ値、Ｓ値、Ｖ値をＨＳＶ空間ＤＢ８３から読み出す。そして、算出したＨ値、Ｓ値、Ｖ値と読み出したＨ値、Ｓ値、Ｖ値とが一致するか否かを判定する。なお、当該判定は完全に一致するか否かの判定でなくてもよく、それぞれの値が所定の範囲内に含まれているか否かを判定する構成であってもよい。そして、演算部７ｅは、一致すると判定した場合、当該アレルゲン含有物質の検量線を検量線ＤＢ８１から読み出し、アレルゲン含有物質の量を示す指標値を特定する。そして、演算部７ｅは、特定した指標値に基づいて、表示用データを生成し、表示部１０に表示させる。
【００８５】
表示部１０は、画像を表示する表示デバイスであり、例えば液晶ディスプレイである。具体的には、表示部１０は、演算部７ｅによって制御されて、演算部７ｅが生成した表示用データを表示する。なお、表示用データとは、ユーザにアレルゲン含有物質の量を報知するための画像である。
【００８６】
なお、演算部７ｅは、一致しないと判定した場合でも、アレルゲン含有物質の種類を特定する構成であってもよい。例えば、ＨＳＶ空間ＤＢ８３に格納されているＨ値、Ｓ値、Ｖ値に、同一波長の光で励起した、別のアレルゲン含有物質のＨ値、Ｓ値、Ｖ値を対応付けておく。そして、演算部７ｅは、識別情報によって特定されるアレルゲン含有物質が発した蛍光でないと判定した場合、ＨＳＶ空間ＤＢ８３を参照して、対応付けられた別のアレルゲン含有物質のＨ値、Ｓ値、Ｖ値を読み出し、算出したＨ値、Ｓ値、Ｖ値と比較する。そして、読み出したＨ値、Ｓ値、Ｖ値が示すアレルゲン含有物質が発した蛍光であると判定した場合、検量線ＤＢ８１から、当該アレルゲン含有物質の検量線を読み出す。
【００８７】
また、本実施形態に係る蛍光検出器１ｅは、記憶部８ｅにはＨＳＶ空間ＤＢ８３のみが記憶されており、上述した処理によって、アレルゲン含有物質の種類のみを特定する構成であってもよい。
【００８８】
また、ＨＳＶ変換を行う変換式は、上述の例に限定されない。また、本実施形態に係る蛍光検出器１ｅは、ＨＳＶ変換を行わず、Ｒ値、Ｇ値、Ｂ値を比較することでアレルゲン含有物質の種類を特定するものであってもよい。この場合、ＨＳＶ空間ＤＢ８３の代わりに、複数のアレルゲン含有物質の蛍光強度から算出したＲ値、Ｇ値、Ｂ値を、各アレルゲン含有物質を識別する情報（例えば、「スギ花粉」「スギ花粉由来のアレルゲン含有タンパク質」など）と対応付けて格納しているデータベースが記憶部８ｅに格納される。また、蛍光強度は、ＨＳＶ変換以外の変換方法で、Ｈ値、Ｓ値、Ｖ値とは異なる値に変換されてもよい。この場合、記憶部８ｅには、複数のアレルゲン含有物質の蛍光強度から算出した当該値を、各アレルゲン含有物質を識別する情報（例えば、「スギ花粉」「スギ花粉由来のアレルゲン含有タンパク質」など）、および、検知部６を識別する識別情報と対応付けて格納しているデータベースが格納されている。
【００８９】
以上のように、蛍光検出器１ｅは、アレルゲン含有物質が発した蛍光を複数成分に分解する。また、当該複数成分の強度に基づいて、蛍光の色相、彩度、および明度を示すパラメータを算出し、ＨＳＶ空間ＤＢ８３に格納されている各アレルゲン含有物質の上記パラメータと比較する。これにより、より正確にアレルゲン含有物質の種類を特定することができる。また、アレルゲン含有物質とそれ以外の蛍光物質とをより明確に区別することができる。なお、本実施形態の構成をその他の実施形態に適用してもよい。
【００９０】
〔変形例〕
上述した実施形態１〜６に記載の蛍光検出器１、１ａ〜１ｅは、掃除機、空気清浄機、または空調装置（いわゆるエアコン）内に設けられてもよい。そして、当該掃除機、空気清浄機、およびエアコンは、検出したアレルゲン含有物質の量を示す指標値に基づいて、吸引力を変化させる構成であってもよい。また、上記掃除機が全自動掃除機（自走式の掃除機）の場合、指標値が高い箇所を何度も通過するように制御してもよい。また、空気清浄機の場合、上記指標値に基づいて稼働時間を変えてもよい（より詳細には、指標値の大きさに応じて稼働時間を長くしてもよい）。
【００９１】
掃除機、空気清浄機、エアコンに上記蛍光検出器１、１ａ〜１ｅを設けることで、室内に存在する花粉由来のアレルゲン含有タンパク質、および、ダニの死骸や糞が分解したものの量を示す指標値を正確に特定し、指標値に応じた制御を行うことができる。花粉由来のアレルゲン含有物質や、ダニの死骸、糞が分解したものといったアレルゲン含有物質は粒径が小さく、容易に空気中に再飛散するので、特に、空気清浄機やエアコンに上記蛍光検出器１、１ａ〜１ｅを設けた場合、より正確に室内に存在する粒径の小さいアレルゲン含有物質の量を示す指標値を特定し、指標値に応じて空気清浄機を制御することができる。
【００９２】
また、上述した実施形態１〜６では、花粉を検出する検知部６ｂと、当該花粉由来のアレルゲン含有タンパク質を検出する検知部６ａとは、同じ波長帯域の光を出射する照射部６１、および、同じ波長帯域の光を受光する受光部６２を備えるものとして説明した。例えば、スギ花粉に光を照射する照射部６１ｂと、スギ花粉由来のアレルゲン含有タンパク質に光を照射する照射部６１ａとは、同じ波長帯域の光を出射していた。また、スギ花粉が発した蛍光を受光する受光部６１ｂと、スギ花粉由来のアレルゲン含有タンパク質が発した蛍光を受光する受光部６１ａとは、同じ波長帯域の光を受光する構成であった。
【００９３】
しかしながら、本発明に係る蛍光検出器１、１ａ〜１ｅはこの例に限定されない。すなわち、照射部６１が出射する光の波長帯域と、受光部６２が受光する光の波長帯域とは、検出対象となる物質の特性（当該物質を励起する光の波長と、当該物質が発する蛍光特性）に応じて決定されればよい。そのため、物質によっては、照射部６１ａが出射する光の波長帯域と、照射部６１ｂが出射する光の波長帯域とが異なってもよい。同様に、受光部６２ａが受光する光の波長帯域と、受光部６２ｂが受光する光の波長帯域とが異なってもよい。なお、ここでは花粉と花粉由来のアレルゲン含有タンパク質とを例に挙げて説明したが、実施形態２で説明した、ダニを検出する検知部６、および、ダニ由来のアレルゲン含有タンパク質を検出する検知部６についても、同様である。
【００９４】
〔ソフトウェアによる実現例〕
蛍光検出器１、および１ａ〜１ｅの制御ブロック（特に制御部６３および演算部７）は、集積回路（ＩＣチップ）等に形成された論理回路（ハードウェア）によって実現してもよいし、ＣＰＵ（Central Processing Unit）を用いてソフトウェアによって実現してもよい。
【００９５】
後者の場合、蛍光検出器１、および１ａ〜１ｅは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９６】
〔まとめ〕
本発明の態様１に係る蛍光検出装置（蛍光検出器１）は、アレルギーの原因物質であるアレルゲンを含む、吸引した空気中のアレルゲン含有物質が発する蛍光を検出する蛍光検出装置であって、吸引した上記アレルゲン含有物質を、該アレルゲン含有物質の大きさに応じた異なる分岐経路部（分岐経路部５）に分岐させる分岐部（分岐部４）を備えているとともに、上記分岐経路部内に励起光を照射して該分岐経路部内の上記アレルゲン含有物質が発する蛍光を検出する検出部（検知部６）が、上記分岐経路部の少なくとも２つに設けられている。
【００９７】
上記の構成によれば、吸引したアレルゲン含有物質を、該原因物質の大きさに応じた異なる分岐経路部に分岐させ、各分岐経路部のうち少なくとも２つの分岐経路部を通るアレルゲン含有物質に対して、励起光を照射し、発生した蛍光を検出する。これにより、大きさが異なるアレルゲン含有物質は、それぞれ異なる分岐経路部に設けられた検出部によって蛍光を検出される。よって、大きさが異なるアレルゲン含有物質のそれぞれを、簡便に検出することができる。
【００９８】
本発明の態様２に係る蛍光検出装置は、上記態様１において、上記検出部が設けられた上記分岐経路部に応じた方式で、上記アレルゲン含有物質の種類、および上記アレルゲン含有物質の量を示す指標値の少なくとも一方を特定する第１の特定部（演算部７）をさらに備えてもよい。
【００９９】
上記の構成によれば、上記検出部が設けられた分岐経路部に応じた方式で、アレルゲン含有物質の種類、およびアレルゲン含有物質の量を示す指標値の少なくとも一方を特定する。これにより、異なる分岐経路部に送られたアレルゲン含有物質に応じた方式で、上記種類および上記指標値の少なくとも一方を特定することができる。よって、上記種類および上記指標値の少なくとも一方を正確に特定することができる。
【０１００】
例えば、スギ花粉とスギ花粉由来のアレルゲンを含むタンパク質との上記指標値を特定する場合、花粉が通る分岐経路部にて検出された蛍光には、スギ花粉の検量線を用いて上記指標値を特定し、スギ花粉由来のアレルゲンを含むタンパク質が通る分岐経路部にて検出された蛍光には、スギ花粉由来のアレルゲンを含むタンパク質の検量線を用いて上記指標値を特定する。これにより、スギ花粉、およびスギ花粉由来のアレルゲンを含むタンパク質の上記指標値について、それぞれを正確に特定することができる。
【０１０１】
本発明の態様３に係る蛍光検出装置は、上記態様１または２において、上記検出部は、それぞれ異なる波長帯域の上記励起光を出射する複数の照射部（照射部６１）を備えてもよい。
【０１０２】
上記の構成によれば、検出部がそれぞれ異なる波長帯域の励起光を出射する複数の照射部を備えているので、１つの分岐経路部を複数種類のアレルゲン含有物質が通る場合であっても、当該複数種類のアレルゲン含有物質すべてに蛍光を発生させることができる。これにより、大きさが同じ複数種類のアレルゲン含有物質それぞれの蛍光を検出することができる。
【０１０３】
本発明の態様４に係る蛍光検出装置は、上記態様１または２において、上記分岐経路部の少なくとも１つには、検出対象のアレルゲン含有物質がそれぞれ異なる複数の上記検出部が設けられていてもよい。
【０１０４】
上記の構成によれば、少なくとも１つの分岐経路部には、検出対象のアレルゲン含有物質がそれぞれ異なる複数の検出部が設けられているので、大きさが同じ複数種類のアレルゲン含有物質それぞれの蛍光を検出することができる。また、検出部が複数あり、各検出部はそれぞれ異なるアレルゲン含有物質が発する蛍光を検出するようになっているので、大きさが同じ複数種類のアレルゲン含有物質の蛍光を同時に検出することができる。
【０１０５】
本発明の態様５に係る蛍光検出装置は、上記態様１から４のいずれかにおいて、上記検出部が設けられた上記分岐経路部に設けられ、上記分岐経路部に送られた上記アレルゲン含有物質を上記励起光の照射直前、または照射時に加熱する加熱部（加熱部９）をさらに備えてもよい。
【０１０６】
上記の構成によれば、励起光の照射直前、または励起光の照射時にアレルゲン含有物質を加熱する。アレルゲン含有物質などの蛍光を発する物質は、加熱によって蛍光強度が増強されるので、アレルゲン含有物質を加熱することによって、少量のアレルゲン含有物質であっても蛍光を検出することができる。
【０１０７】
本発明の態様６に係る蛍光検出装置は、上記態様１から５のいずれかにおいて、上記検出部は、上記励起光を上記アレルゲン含有物質に照射する照射部（照射部６１）と、上記アレルゲン含有物質が発する蛍光を受光する受光部（受光部６２）とを備え、上記照射部は、上記受光部が受光可能な波長帯域の光を遮光する第１の遮光部材（ショートパスフィルタ６５ａ）を備えてもよい。
【０１０８】
上記の構成によれば、照射部が、受光部が受光可能な波長帯域の光を遮光する第１の遮光部材を備えているので、受光部が受光可能な波長帯域の光が受光部によって受光されることがなくなる。よって、このような光が、アレルゲン含有物質が発した蛍光のノイズとなることを防ぐことができる。
【０１０９】
本発明の態様７に係る蛍光検出装置は、上記態様１から６のいずれかにおいて、上記検出部は、上記励起光を上記アレルゲン含有物質に照射する照射部（照射部６１）と、上記アレルゲン含有物質が発する蛍光を受光する受光部（受光部６２）とを備え、上記受光部は、上記励起光の波長帯域の光を遮光する第２の遮光部材（バンドパスフィルタ６６ａ）を備えてもよい。
【０１１０】
上記の構成によれば、受光部が、励起光の波長帯域の光を遮光する第２の遮光部材を備えているので、励起光が受光部によって受光されることがなくなる。よって、励起光が、アレルゲン含有物質が発した蛍光のノイズとなることを防ぐことができる。
【０１１１】
本発明の態様８に係る蛍光検出装置は、上記態様１から７のいずれか１項において、上記検出部は、上記アレルゲン含有物質が発する蛍光を受光する複数の受光部（受光部６４）と、当該蛍光のうち、それぞれ異なる波長帯域の光を、当該複数の受光部のそれぞれに出射する複数の光学素子（Ｂフィルタ６７ａ１、Ｇフィルタ６７ａ２、Ｒフィルタ６７ａ３）と、を備えてもよい。
【０１１２】
上記の構成によれば、複数の光学素子は、蛍光のうち、それぞれ異なる波長帯域の光を、複数の受光部それぞれに出射する。これにより、蛍光検出装置は、アレルゲン含有物質が発した蛍光を、異なる波長帯域の光に分解したデータを取得することができる。よって、より正確なアレルゲン含有物質の種類、量を示す指標値などの特定が可能となる。
【０１１３】
本発明の態様９に係る蛍光検出装置は、上記態様１から７のいずれか１項において、上記検出部は、上記アレルゲン含有物質が発する蛍光を受光する受光部（受光部６４）と、当該蛍光のうち、それぞれ異なる波長帯域の光を、受光部のそれぞれ異なる領域に出射する光学素子（カラーフィルタ６８ａ）と、を備えてもよい。
【０１１４】
上記の構成によれば、光学素子は、蛍光のうち、それぞれ異なる波長帯域の光を、受光部のそれぞれ異なる領域に出射する。これにより、蛍光検出装置は、アレルゲン含有物質が発した蛍光を、異なる波長帯域の光に分解したデータを取得することができる。よって、より正確なアレルゲン含有物質の種類、量を示す指標値などの特定が可能となる。
【０１１５】
本発明の態様１０に係る蛍光検出装置は、上記態様８または９において、各波長帯域の光の強度から、当該強度と異なる算出値を算出し、当該算出値を、予め算出されている複数の上記アレルゲン含有物質の上記算出値と比較することによって、上記アレルゲン含有物質の種類を特定する第２の特定部（演算部７ｅ）をさらに備えてもよい。
【０１１６】
上記の構成によれば、各波長帯域の光の強度から、当該強度と異なる算出値を算出し、予め算出されている複数の上記アレルゲン含有物質の上記算出値と比較することによって、上記アレルゲン含有物質の種類を特定するので、アレルゲン含有物質の種類を蛍光強度から特定することが難しい場合に、アレルゲン含有物質の種類を特定できる可能性がある。
【０１１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１８】
１、１ａ〜１ｅ  蛍光検出器（蛍光検出装置）
４  分岐部
５  分岐経路部
６  検知部（検出部）
７  演算部（第１の特定部）
７ｅ  演算部（第２の特定部）
９  加熱部
６１  照射部
６２、６４  受光部
６５ａ  ショートパスフィルタ（第１の遮光部材）
６６ａ  バンドパスフィルタ（第２の遮光部材）
６７ａ１  Ｂフィルタ（光学素子）
６７ａ２  Ｇフィルタ（光学素子）
６７ａ３  Ｒフィルタ（光学素子）
６８ａ  カラーフィルタ（光学素子）
【図１】
2017067696.tif 000003
【図４】
2017067696.tif 000004
【図５】
2017067696.tif 000005
【図６】
2017067696.tif 000006
【図７】
2017067696.tif 000007
【図８】
2017067696.tif 000008
【図９】
2017067696.tif 000009
【図１０】
2017067696.tif 000010
【図１１】
2017067696.tif 000011
【図１２】
2017067696.tif 000012
【図１３】
2017067696.tif 000013
【図１４】
2017067696.tif 000014
【図１５】
2017067696.tif 000015
【図１６】
2017067696.tif 000016
【図１７】
2017067696.tif 000017
【図１８】
2017067696.tif 000018
【図１９】
2017067696.tif 000019
【図２０】
2017067696.tif 000020
【図２】
2017067696.tif 000021
【図３】
2017067696.tif 000022